(57)【要約】【課題】容易に製造、取りつけ及び使用をすることができるセンサエレメント、その製造方法、及びセンサエレメントを備えたタッチスイッチを提供する。【解決手段】タッチスイッチデバイス用センサエレメントは、弾性材料のセンサエレメント本体を含む。センサエレメント本体は、頂面および底面としての２つの平行な端壁領域を有し、該端壁領域は、内方に上反りになっている側壁領域によって継ぎ目なしに一体的に連結されている。そのようなセンサエレメント本体は、非常に容易に圧縮が可能である。壁領域の壁厚は、実質的には全体を通して同じである。【選択図】図２
2008210800.tif 000002
【特許請求の範囲】
【請求項１】
静電容量タッチスイッチ用センサエレメントであって、前記センサエレメントが、弾性材料のセンサエレメント本体を有し、少なくとも前記タッチスイッチ内に設置の際、実質的に互いに平行でありかつ互いに向き合っている頂面および底面を有し、前記センサエレメントが、より大きい間空のまわりに連続的に構成されている壁領域を備えた箱状構造を有し、前記頂面および前記底面が、いずれの場合にも端壁領域によって形成されており、前記頂面および前記底面が、前記頂面と前記底面との間に延在する側壁領域を介して相互に連結されていることを特徴とする前記センサエレメント。
【請求項２】
前記壁領域の壁厚が実質的には一定であることを特徴とする請求項１記載のセンサエレメント。
【請求項３】
前記壁領域の前記壁厚が実質的には同一であることを特徴とする請求項１記載のセンサエレメント。
【請求項４】
前記側壁領域の壁厚が前記端壁領域の壁厚より薄いことを特徴とする請求項１記載のセンサエレメント。
【請求項５】
前記側壁領域が相同的に同一式に構成されていることを特徴とする請求項４記載のセンサエレメント。
【請求項６】
材料薄化が、前記頂面および前記底面と前記側壁領域との間の移行部分において形成されていることを特徴とする請求項１記載のセンサエレメント。
【請求項７】
前記側壁領域の壁厚が、前記センサエレメントの幅または高さの約５％〜１０％であることを特徴とする請求項１記載のセンサエレメント。
【請求項８】
前記頂面および前記底面が、実質的には平坦であり、かつ互いに対して平行であることを特徴とする請求項１記載のセンサエレメント。
【請求項９】
少なくとも１つの前記側壁領域が、前記センサエレメントの中心から外方に上反りになっており、前記上反りが、前記センサエレメントの幅の５％と２０％の間であることを特徴とする請求項８記載のセンサエレメント。
【請求項１０】
少なくとも１つの前記側壁領域が、前記センサエレメントの中心へ内方に上反りになっており、前記上反りが、前記センサエレメントの幅の５％と２０％の間であることを特徴とする請求項８記載のセンサエレメント。
【請求項１１】
少なくとも１つの前記側壁領域が、前記頂面または前記底面に対して３５度〜８０度の角度の傾斜を持っていることを特徴とする請求項８記載のセンサエレメント。
【請求項１２】
前記頂面および前記底面と前記側壁領域との間の連結部がすべて、互いに同じ相互角度を有することを特徴とする請求項１１記載のセンサエレメント。
【請求項１３】
１つの前記側壁領域が、２つの部分的側壁領域を備えた二重壁式に構成されており、前記２つの部分的側壁領域が互いから遠ざかるように上反りになり、および前記２つの部分的側壁領域の両端において相互に連結され、前記側壁領域の前記両端の前記連結部が、前記頂面または前記底面との連結部も形成していることを特徴とする請求項１記載のセンサエレメント。
【請求項１４】
前記センサエレメントがエラストマーまたはポリマー製であることを特徴とする請求項１記載のセンサエレメント。
【請求項１５】
前記センサエレメントが電気的導電性であることを特徴とする請求項１記載のセンサエレメント。
【請求項１６】
前記タッチスイッチ用タッチ接触面を形成している、または前記タッチスイッチの一部である制御および評価部との電気的接触のために、前記底面が、前記頂面より小さいことを特徴とする請求項１５記載のセンサエレメント。
【請求項１７】
前記センサエレメントの中心を通って前記頂面または前記底面内に軸方向に位置合わせされた開口部があることを特徴とする請求項１記載のセンサエレメント。
【請求項１８】
前記間空内の突起部が一方の前記端壁領域から前記他方の端壁領域の方向に突出し、前記突起物の高さが、非圧縮状態または非設置状態における前記両端壁領域の相互空間の３０％〜８０％であることを特徴とする請求項１記載のセンサエレメント。
【請求項１９】
前記センサエレメントが、回路基板または同様のものなどの支持部上に並置され、かつ操作面に係合していることを特徴とする請求項１記載の、いくつかの前記センサエレメントを備えたタッチスイッチデバイス。
【請求項２０】
前記センサエレメントが、両面接着テープによって前記支持部に貼り付けられることを特徴とする請求項１９記載のタッチスイッチデバイス。
【請求項２１】
中空形材がセンサエレメントの断面を備えたセンサエレメント材料から作られ、および前記中空形材から個別センサエレメント長に切断されることを特徴とする請求項１記載のセンサエレメントの製造方法。
【請求項２２】
前記中空形材から前記センサエレメント長に切断する前記工程が、回路基板などの支持部上の前記センサエレメントのための装填機において直接行われることを特徴とする請求項２１記載の方法。
【請求項２３】
１つの前記センサエレメントは、前記センサエレメントの側面がほぼ丸くなるように湾曲してまたは丸みのある切り口で切り離されることを特徴とする請求項２１記載の方法。
【発明の詳細な説明】
【技術分野】
【０００１】
本発明は、タッチスイッチ用センサエレメント、特に静電容量タッチスイッチ、該センサエレメントを製造する方法、および該センサエレメントを有するタッチスイッチデバイスに関する。
【背景技術】
【０００２】
静電容量タッチスイッチ用センサエレメントは、本来、米国特許５９１７１６５（Ａ）から公知である。
【０００３】
静電容量タッチスイッチ用の細長い円形筒状センサエレメントの場合、横方向に向けられた口径を備えることが米国特許出願公開２００５／２４８５４４（Ａ１）から公知である。このことは、センサエレメントの弾力性を増す、または、いわば、センサエレメントをより柔らかくし、より容易な圧縮を可能にする利点を有する。
【特許文献１】米国特許５９１７１６５（Ａ）
【特許文献２】米国特許出願公開２００５／２４８５４４（Ａ１）
【発明の開示】
【発明が解決しようとする課題】
【０００４】
本発明の課題は、上述のセンサエレメント、該センサエレメントの製造方法、および該センサエレメントを備えたタッチスイッチデバイスを提供することである。該提供によって、先行技術の課題の解決が可能になり、特に容易に製造、取り付けおよび使用ができるセンサエレメントを得ることができる。
【課題を解決するための手段】
【０００５】
この課題は、請求項１の特徴を有するセンサエレメント、請求項１９の特徴を有するセンサエレメントを備えたタッチスイッチ、および請求項２１の特徴を有するセンサエレメントの製造方法によって解決される。
【発明の実施の形態】
【０００６】
本発明の有利で好ましい展開によって、さらなる請求項の主題が明らかとなり、該展開を本明細書の下文において詳細に説明する。請求項の表現は本明細書の一部となる。
【０００７】
センサエレメントは、弾性材料のセンサエレメント本体を有する。少なくとも、センサエレメントをタッチスイッチまたはタッチスイッチデバイス内に取り付けるとき、センサエレメント本体は、互いに向き合っている上部頂面および下部底面を有し、該両面は、実質的には互いに有利に並行になっている、または互いに若干傾いている。これらの面の１つは、凸状または凹状に湾曲しており、この湾曲は、有利には頂面である。本発明によれば、センサエレメントは、連続的な壁領域を備えた箱状構造を有し、該壁領域は、大きい間空すなわち空間を囲むように作られている。頂面および底面のそれぞれは、前壁または端壁領域によって形成され、該２つの壁領域は、中間壁領域または側壁を介して相互に連結されている。該空間または間空は、センサエレメント本体全体の断面の大部分、たとえば７０％〜９０％を有利に占める。
【０００８】
したがって、特に大きい間空の結果として、非常に弾力性または柔軟性があり、および限られた力によって非常に容易に圧縮できるセンサエレメント本体を備えたセンサエレメントが作られる。圧縮時、特に側壁領域が折れる。この折れは、本明細書の下文で説明するとおり、さまざまな方法で行われる。
【０００９】
本発明の展開において、壁領域の壁厚は、実質的には同じである、または、それら壁領域の表面の大部分にわたって変わらない。このことは側壁領域にも適用することが望ましく、それによって、側壁領域も実質的には一定で同一の壁厚を有する。側壁領域の壁厚を比較的小さくすることが可能であり、それによって、センサエレメントはより容易に圧縮可能になる。有利に向き合っている壁領域は、まったく同じにまたは相同的に構成されている。したがって、圧縮に対して、取り付け方向に左右されない一定の弾性特性を得ることができる。
【００１０】
本発明のさらなる展開において、頂面および底面の壁厚は側壁領域の壁厚とほぼ同等である。これら２つの表面形状は、わずかな圧縮の場合では、変わらない、または、ほぼ平面のままであるが、側壁領域は、弾性的に圧縮されるか、内方または外方に曲げられてしまうかのいずれかになるように、有利に蝶番または関節の形状に材料の薄化を行うことができる。特に有利な点として、該材料の薄化は頂面および底面上に、および望ましくは、側壁領域の厚さにまったく変化がないような程度に外側に提供されている。
【００１１】
本発明の展開において、側壁領域の壁厚は、センサエレメントの幅または高さの約５％〜１０％にできる。約０．５ｍｍ〜２ｍｍが、壁厚として好適である。
【００１２】
本発明の好ましい実施形態において、頂面および底面は平面でありかつ互いに平行であり、実質的には非設置状態または非圧縮状態でもある。側壁領域は上反りになっている、または上反りのように構成されている。該側壁領域は、センサエレメントの中央または間空から外方に上反りになっている。圧縮時、側壁領域はこの方向にさらにより大きい程度に上反りになる。そのような上反りは、センサエレメント幅の５％〜２０％、または特定の状況ではさらにそれ以上になる可能性がある。外方に上反りになる代わりに、側壁領域は、同じ角度で内方に上反りになってもよい。圧縮時に頂面および底面の相互の横方向変位を防ぐために、側壁領域を相同的に、すなわち、ともに内方に、またはともに外方に上反りに構成することが有利である。上反りは、一方では実質的には均等にまたは丸めることができ、他方では、下に曲げる形または片寄り経路が丸い上反りと実質的に同じ効果を生むことができ、特定の場合、センサエレメントは、そのような曲げ構造によってさらに容易に圧縮できる。
【００１３】
上反りになった側壁領域の場合、一方の側壁領域と頂面または底面とは、互いに対して３５度〜８０度の角度、好ましくは、４０度〜７０度になるとよい。そうすると側壁領域は頂面または底面から傾いて突出し、さらに圧縮性を改善できる。頂面、底面および側壁領域の間の連結は、有利には、すべてまったく同様に構成する、または同じ相互角度を有する。
【００１４】
本発明のさらなる展開によれば、いずれの場合にも、１つの内方または外方に上反りになった側壁領域があるばかりでなく、その代わりに、該側壁領域が、いわば、二重壁式に構成されていて、たとえば２つの部分側壁領域を有し、該２つの部分側壁領域は、互いから遠ざかるように上反りになる、すなわち、該２つの部分側壁領域の間に膨らみを形成し、その両端で相互に連結できる。この結果から、センサエレメント本体の圧縮および引き続いて起こるより強い湾曲または側壁領域の上反りの間、トルクが連結領域を介して頂面または底面、特に頂面に伝えられることを防止できる。部分側壁領域の両端の連結部は、実質的に該部分側壁領域が頂面または底面に連結されている箇所に置かれているので、この防止効果をさらに改善できる。この結果、被覆面または操作面に十分にまた全面的に係合することができる。
【００１５】
本発明の別の展開において、頂面または底面は、特に頂面に対して、特に外方に上反りになっている湾曲または上反り構造を有する。この構造は、それに応じて上反りになっている被覆または操作面に適応可能である。しかし、この適応性を無視して、そのようなセンサエレメント本体は、本明細書の前記および下記の記載と同一の構造を有することができる。
【００１６】
センサエレメント本体の側壁領域は、まったく同様に、特にほぼ同等の長さを備えて構成される。しかし、それら側壁領域は異なる長さを有することもでき、それによって、本発明のタッチスイッチデバイス内に設置した際、回路基板などセンサエレメント本体に対する支持部は、該支持部の上方の操作面と平行に作る必要はない、または、該支持部に対して傾斜させることができる。
【００１７】
そのようなセンサエレメントは、実質的に先行技術によって、すなわち、開気孔または閉気孔のエラストマーまたはポリマーから作ることができる。シリコーンまたはシリコーンポリマーが好適である。センサエレメントは、電気的に導電性であるべきであり、この点について、先行技術、特に前述の米国特許第５９１７１６５（Ａ）号または米国特許出願公開第２００５／２４８５４４（Ａ１）号に記載がある。
【００１８】
設置した状態において、タッチスイッチのタッチ接触面を形成する、または該タッチスイッチの一部である頂面が、電気的接触または連結を形成する底面より大きいことが可能である。しかし、この逆も可能である。
【００１９】
本発明の展開において、少なくとも１つの軸方向に位置合わせされた開口部、すなわち、米国特許第５９１７１６５（Ａ）号からセンサエレメント本体として公知であるとおり、貫通孔または通路が頂面および底面に形成されている。そのような開口部は透光用に使用できる。該開口部は、センサエレメントの中心点を通して作ることができ、頂面または底面の表面領域のほぼ１０％〜８０％に相当する。
【００２０】
本発明の別の展開によれば、突起物が頂面または底面から間空の中に延在しているまたは間空から突出している。そのような突起物は、対向面の方に向けられているが、該対向面からは間隔を有し、該突起物の高さは、圧縮されていない状態で結果的に頂面と底面との間の間隔のほぼ４０％〜８０％になるとよい。この突起物は最大圧縮性の画定に使用できる。したがって、そのようなセンサエレメント本体は、該突起物も対向面に係合するまで比較的容易に圧縮できる。この点からさらに圧縮が可能ではあるが、そのとき、突起物も弾性的に圧縮しなければならないので、この圧縮には、極めて大きな力の消費が伴う。
【００２１】
いくつかの前述のセンサエレメントまたはセンサエレメント本体を備えたタッチスイッチの場合、センサエレメントは支持部上で並置、すなわち互いに間隔をおいて配置される。そのような支持部は回路基板であってもよく、該支持部上には、特にタッチスイッチデバイス用の制御部および／または評価部も存在する。電気的接触は、先行技術から公知のとおり、支持部を介してセンサエレメントで行われる。センサエレメントの底面は支持部上に置かれ、および頂面は該支持部の上方に特定の距離をおいて伸びている操作面に係合している状態で、頂面は操作面に全面的に適合している。センサエレメント本体の間空は、支持部と操作面との間に軸方向に延在している。有利には、タッチスイッチデバイスのセンサエレメントはすべて、少なくとも同じ基本構造を有する。
【００２２】
センサエレメントは、支持部に貼り付けることができ、特に両面接着テープが好適である。両面接着テープをまず支持部に固定し、次にその上にセンサエレメントを置くとよい。あるいは、および望ましくは、接着テープを先ずセンサエレメントに貼り付けるとよい。個別または切り離しセンサエレメントを被覆帯付き細長い両面接着テープ上に置くとよい。そうすれば、個別センサエレメントを被覆付き両面接着テープから取り外すことができ、該接着テープがセンサエレメント上に残り、接着塗膜を形成すると同時に、残りのセンサエレメントは被覆帯上に残る。センサエレメントの切り離しも接着テープ上で行うことができるが、連結被覆帯は、より容易で粘着力のある処理をもたらすために切り離すべきではない。
【００２３】
上述のセンサエレメントを製造する場合、センサエレメントの側面図に対応する断面を備えたセンサエレメント材料から中空形材を作る方法を提供することは可能である。つぎに該中空形材から個別センサエレメントを切断または個別センサエレメント長に切断し、該個別センサエレメントは、その都度同じ大きさまたは幅のものであることが望ましい。そのようなセンサエレメント長に切断する工程は、中空形材の製造時点、または該製造後に引き続いて行うことができる。あるいは、センサエレメントの支持部用装填機に中空形材を送り込み、その次に該機械において切断工程のみを行うことが可能であり、それによって、任意の望ましい配向を備えたセンサエレメントを支持部に送り込むことが容易になる。
【００２４】
センサエレメントは、普通、中空形材から直角にかつまっすぐに切断する。しかし、この切断は、湾曲切断によって行うこともできる。長手方向に配向された形材から、直立円筒形に似た丸みのあるすなわち実質的には丸いセンサエレメントを得ることが可能である。
【００２５】
請求項、明細書および図面から集約できるこれらの特徴およびさらなる特徴、および個々の特徴は、単独または半組み合わせの形の両方で、本発明の好ましい実施形態および他の分野において実行可能であり、および本明細書において保護が要求されている構成は、有利であり、単独で保護可能である。個々のセクションおよび副題への本出願の細目は、以下でなされる本明細書の全体的有効性を決して制限するものではない。
【００２６】
本発明によれば、弾性材料のセンサエレメント本体を有するセンサエレメントが提供される。
【００２７】
添付の図面を参照しながら本発明の好ましい実施例を詳細に説明する。
【実施例】
【００２８】
図１は、センサエレメント本体２１を備えた本発明のセンサエレメント２０を側面図に示す。この図によって、センサエレメント２０またはセンサエレメント本体２１が、上部頂面２３ａおよび向き合う底面２３ｂと一体型で作られていることがはっきりわかる。２つの面２３ａおよびｂは、左側壁領域２５ａおよび右側壁領域２５ｂによって連結されており、該側壁領域は、間空すなわち空間２６を囲んでいる。頂面２３ａおよび底面２３ｂは、連結部２７ａ〜ｄによって側壁領域２５ａおよびｂに連結されている。側壁領域２５ａおよびｂは、内方湾曲部を有する、またはほぼ中央にねじれている。
【００２９】
左側壁領域２５ａから頂面２３ａへの移行部において、連結部２７ａに切り込みの形状をした材料薄化２８ａを形成する方法を見ることができる。この方法は、材料薄化２８ｂを備えた頂面２３ａと右側壁領域２５ｂとの間の連結部２７ｃにも該当する。該材料薄化２８ａおよびｂは、頂面２３ａ上の現地点に形成されており、設置状態でセンサエレメント２０を圧縮したとき、側壁領域２５ａおよびｂの内側方向への容易な湾曲またはねじれを確実なものにする。
【００３０】
図１は、センサエレメント２０の断面を示す。センサエレメント２０が切断された前述の中空断面図の場合、該断面は一定の形状を有することができる。センサエレメント２０またはセンサエレメント本体２１は、上述の弾性材料、たとえば、微孔質発泡樹脂またはゴムから作ることができる。製造は、押し出し成形によって任意の長さに行うことができる。
【００３１】
図２は、センサエレメント２０を備えた本発明のタッチスイッチを示し、該センサエレメントは、支持部としての回路基板１３上に置かれ、底面２３ｂによって該回路基板上に静止している。操作面１５は頂面２３ａ上に係合している。回路基板１３と操作面１５との間の距離は、図１による解放された状態または緩和された状態にあるセンサエレメント２０の高さより若干小さい。それによって、センサエレメント２０は、図２において圧縮されている。センサエレメント２０の高さ低減は約１５％であるとよい。
【００３２】
先行技術によれば、回路基板１３は、表面に付けられた任意の金属製接続帯を通してセンサエレメント２０に電気的接続を形成できる。センサエレメントおよび追加のタッチスイッチデバイス全体１１または電気機器に対して制御または評価も実行できる。
【００３３】
たとえば、操作面１５は、ガラスプレートまたはガラスセラミックプレートであり、電気機器のホブまたはいくつかの他の表面の一部を形成できる。操作面１５または頂面２３ａの下側のセンサエレメント２０の表面は、先行技術から公知であるとおり、静電容量センサエレメントまたはキャパシタプレートを形成する。センサエレメントの間空は、プレート間で軸方向に配向されている。操作面１５の頂部上に置かれた指１７は、タッチスイッチデバイス１１によって検出され、スイッチ機能などを引き起こすことができる。
【００３４】
センサエレメント２０の圧縮を介して図２から推論できるとおり、図１に若干上反りになった形状で示された頂面２３ａは、操作面１５の下側と同じ平面である。内方に曲げられた側壁領域２５ａおよび２５ｂは、ばねのようにより強く曲げられている。弾力性を伴うそのようなセンサエレメント２０を圧縮させる力の消費は、固体材料製の、または米国特許出願公開第２００５／２４８５４４（Ａ１）号によるセンサエレメント本体による力の消費よりはるかに小さいことが明白である。この力の消費は、操作面１５の下側に係合している相当に大きい電気的導電面、すなわち、頂面２３ａに至り、電気的導電側壁領域２５ａおよびｂおよび底面２３ｂを介して制御部または評価部に接続される。
【００３５】
注目点としては、タッチスイッチデバイス１１の場合、回路基板１３および操作面１５は、非常に堅く相互に連結されており、そのため、該回路基板および操作面の相互空間は常に同じであるということである。許容範囲によって、センサエレメントのばね特性が補正される。例示の好ましい実施形態において、該空間は指１７の加圧に左右されないが、この加圧に左右されることも可能である。
【００３６】
図３は、変形体として図１にあるとおり、上部頂面１２３ａおよび下部底面１２３ｂを有するセンサエレメント本体１２１を備えたセンサエレメント１２０を示す。図１とは異なって頂面１２３ａおよび底面１２３ｂは、外方に上反りになっている側壁領域１２５ａおよび１２５ｂを介して相互に連結され、それら側壁領域は、ほぼ均等に丸くなりまたは上反りになっており、それによって、低いたる形状本体が得られる。たとえば、図２によるタッチスイッチデバイス内に設置されたそのようなセンサエレメント１２０が圧縮された場合、側壁領域１２５ａおよびｂは、より外側に向けて若干湾曲する。
【００３７】
図４は、さらなる変形体の状態で、図３のセンサエレメント本体と同じように構成されているセンサエレメント本体２２１を備えたセンサエレメント２２０を示す。外方に上反りなっている側壁領域２２５ａおよびｂに加えて、内方に上反りになっている側壁領域２２５ｃおよび２２５ｄが形成されており、これらすべてが部分側壁領域の形状になっている。すべての側壁領域２２５ａ〜ｄを頂面２２３ａおよび底面２２３ｂに連結する場合、いずれの場合も連結領域２２７ａ〜ｄにおいて、したがって、いずれの場合もほぼ一点において行われる。したがって、いわば、側壁領域２２５ａ〜ｄは、いずれの場合も２つの部分側壁領域を備えた二重壁を形成する。センサエレメント２２０を圧縮すると、外方に上反りになっている部分側壁領域２２５ａおよびｂは、さらにより大きい程度まで外方に上反りし、および内方に上反りになっている部分側壁領域２２５ｃおよびｄは、より強力に内方に上反りする。その結果として、実質的に、頂面２２３ａおよび底面２２３ｂの移行部分すなわち連結部２２７においてねじれはまったくない。ほぼ一定の壁厚の場合、部分側壁領域２２５のばね作用は、増大され、その結果として、センサエレメント２２０はまったく容易に圧縮されない。
【００３８】
図５は、さらなる変形体として、左および右側壁３２５ａおよびｂが、下部底面３２３ｂからほとんど直角に上方に突出しているセンサエレメント３２０を示す。特定の高さにおいて、側壁領域３２５ａおよびｂは、壁厚の移行および薄化または厚化なしで、ピッチ円のように上方に上反りになっている頂面３２３ａに移行する。そのようなセンサエレメント３２０も本発明の範囲内に収まる。センサエレメント３２０を押下するための該センサエレメントの上方の操作面が図２に示すような平板ではなく、むしろ上部頂面３２３ａの上反りと同じように、および有利に若干小さく上反りになっている場合が特に好適である。ここでもう一度、本明細書の上文に記載のように、静電容量センサエレメントは、操作面の下側に直接係合している頂面３２３ａによって形成される。頂面３２３ａを上向き球状に、または対応する形状が下向きになった特定の状態で上反りになることも、図５の変形体として容易に考えられる。
【００３９】
さらなる変形体において、図６は、図１および２のセンサエレメントに実質的には対応するが、頂面４２３ａおよび底面４２３ｂの両方に軸方向に位置合わせされた開口部４３０ａおよび４３０ｂがあるという変更を伴うセンサエレメント４２０を示す。下部開口部４３０ｂを通して、図２と類似の回路基板から突き出ているＬＥＤまたは光導波路を突出させ、その光を上部開口部４３０ａを通して上方に放射できる。基本的には、これは米国特許第５９１７１６５（Ａ）号による軸方向孔に対応する。頂面または底面にそのような開口部をいくつか有することも当然可能である。
【００４０】
さらなる変形体として図７は、図１および２のセンサエレメントに基づいているセンサエレメント５２０を示す。頂面５２３ａおよび底面５２３ｂ、ならびに、側壁領域５２５ａおよびｂは、図１および２のとおりに構成かつ相互に連結されている。違いは、突起部５３２が底面５２３ｂから上方かつ中央に突き出ており、頂面５２３ａに向かって伸びているが頂面から特定の距離を維持していることである。特に、突起部５２３の高さは、間空５２６の全高のほぼ７５％である。突起部５３２は比較的安定性があり、その厚さは壁領域の厚さの２〜５倍である。
【００４１】
図７のセンサエレメント５２０を、図２の変形体として設置した状態で図８に示す。タッチスイッチデバイス５１１は、操作面５１５が回路基板５１３に極めて接近し、それによって、操作面と回路基板との間にあるセンサエレメント５２０の場合、突起部５３２は頂面５２３ａの下側内面上に押し付けられることを示している。この突起物は、いわば、センサエレメント５２０の圧縮に対する一種の停止物を形成している。さらなる圧縮は可能であるが、今では突起物５３２の圧縮がセンサエレメントに加わるので、大きな力の増大が必要になる。
【００４２】
本発明の高機能化においては、頂面と底面との間の側壁領域が、特にコンサーティーナなどまたは蛇腹に似たようないくつかのねじれまたは上反りを有することも可能である。そのようなセンサエレメントは、特定の断面を有する長手方向のストランドから切り出して作ることもできる。
【００４３】
２００７年２月１２日付け出願の独国特許出願公開第１０２００７００８１７８．４号の開示内容は、本出願に組み込まれる。
【図面の簡単な説明】
【００４４】
【図１】内方に湾曲した側壁領域を備えた本発明のセンサエレメントの側面図である。
【図２】指が加えられた状態の操作面と回路基板との間に、図１に対応するセンサエレメントを備えた本発明のタッチスイッチを示す。
【図３】センサエレメントの変形体を示す。
【図４】センサエレメントのさらなる変形体を示す。
【図５】センサエレメントのさらなる変形体を示す。
【図６】センサエレメントのさらなる変形体を示す。
【図７】センサエレメントのさらなる変形体を示す。
【図８】図７に対応するセンサエレメントを備えた、図２に類似のタッチスイッチデバイスを示す。
【図１】
2008210800.tif 000003
【図２】
2008210800.tif 000004
【図３】
2008210800.tif 000005
【図４】
2008210800.tif 000006
【図５】
2008210800.tif 000007
【図６】
2008210800.tif 000008
【図７】
2008210800.tif 000009
【図８】
2008210800.tif 000010
【外国語明細書】
2008210800.tif 000011
2008210800.tif 000012
2008210800.tif 000013
2008210800.tif 000014
2008210800.tif 000015
2008210800.tif 000016
2008210800.tif 000017
2008210800.tif 000018
2008210800.tif 000019
2008210800.tif 000020
2008210800.tif 000021
2008210800.tif 000022
2008210800.tif 000023
2008210800.tif 000024
2008210800.tif 000025
2008210800.tif 000026
2008210800.tif 000027
2008210800.tif 000028
2008210800.tif 000029
2008210800.tif 000030
2008210800.tif 000031
2008210800.tif 000032
2008210800.tif 000033
2008210800.tif 000034